【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
複数のデバイスを含む低電力および高損失ネットワーク(LLN)において、第1のルーティングトポロジーを作成するステップであって、前記第1のルーティングトポロジーが、第1のチャネルの種類を用いて送信側デバイスからの送信を受信し得る1つまたは複数の受信側デバイスをマッピングする、ステップと、
第2のルーティングトポロジーを作成するステップであって、前記第2のルーティングトポロジーが、第2のチャネルの種類を用いて送信側デバイスからの送信を受信し得る1つまたは複数の受信側デバイスをマッピングする、ステップと、
前記第1のルーティングトポロジーのための第1のブロードキャストスケジュールおよび前記第2のルーティングトポロジーのための第2のブロードキャストスケジュールを生成するステップと
を含む方法。
【請求項２】
前記第1のルーティングトポロジーを作成するステップが、
前記第1のチャネルの種類を介して第1のルータアドバータイズメントメッセージを送信側デバイスによって1つまたは複数の受信するデバイスに送信するステップと、
前記第1のチャネルの種類を介して1つまたは複数の応答メッセージを前記1つまたは複数の受信するデバイスから受信するステップと、
前記送信側デバイスと前記受信側デバイスとの間のリンクを第1のチャネルの種類のトポロジーのインスタンスにマッピングするステップとを含む請求項1に記載の方法。
【請求項３】
前記第2のルーティングトポロジーを作成するステップが、
第1のチャネルの種類のトポロジーのインスタンス内で受信側デバイスにリンクされた送信側デバイスによって前記受信側デバイスに試験メッセージを送信するステップと、
前記送信側デバイスによって前記受信側デバイスからの応答メッセージを受信するステップであって、前記応答メッセージが、1つまたは複数のリンク品質メトリックを含む、ステップと、
前記1つまたは複数のリンク品質メトリックがリンク品質の閾値を超えるかどうかを前記送信側デバイスによって評価するステップと、
前記リンク品質メトリックがリンク品質の閾値を超えると判定することに応じて、前記送信側デバイスと前記受信側デバイスとの間のリンクを第2のチャネルの種類のトポロジーのインスタンスにマッピングするステップとを含む請求項1に記載の方法。
【請求項４】
前記第2のルーティングトポロジーを作成するステップが、
前記第2のチャネルの種類を介して第2のルータアドバータイズメントメッセージを送信側デバイスによって1つまたは複数の受信側デバイスに送信するステップと、
前記第2のチャネルの種類を介して1つまたは複数の応答メッセージを前記1つまたは複数の受信側デバイスから受信するステップと、
前記送信側デバイスと前記受信側デバイスとの間のリンクを第2のチャネルの種類のトポロジーのインスタンスにマッピングするステップとを含む請求項2に記載の方法。
【請求項５】
前記第1のチャネルの種類が中電力チャネルであり、前記第2のチャネルの種類が低電力チャネルである請求項1に記載の方法。
【請求項６】
前記第1のルーティングトポロジーおよび前記第2のルーティングトポロジーにデータの種類をマッピングするステップをさらに含む請求項1に記載の方法。
【請求項７】
データの種類をマッピングするステップが、各ルーティングトポロジーに関する通信の特性およびネットワークの直径を判定するステップを含む請求項6に記載の方法。
【請求項８】
各ルーティングトポロジーに関する通信の特性およびネットワークの直径を判定するステップが、
ルート送信側デバイスから葉受信側デバイスに試験メッセージを送信するステップと、
前記葉受信側デバイスからの応答メッセージを前記ルート送信側デバイスにおいて受信するステップであって、前記応答メッセージが、少なくとも前記試験メッセージの受信の時間を含む、ステップと、
ネットワーク管理デバイスによって、少なくとも各ルーティングトポロジーに関するレイテンシーおよびネットワークの直径を計算するステップとを含む請求項7に記載の方法。
【請求項９】
低電力および高損失ネットワーク(LLN)と通信するための1つまたは複数のネットワークインターフェースと、
前記ネットワークインターフェースに結合され、1つまたは複数のプロセスを実行するように適合されたプロセッサと、
前記プロセッサによって実行可能なプロセスを記憶するように構成されたメモリであって、前記プロセスが、実行されるときに、
第1のルーティングトポロジーを作成することであって、前記第1のルーティングトポロジーが、第1のチャネルの種類を用いて送信側デバイスからの送信を受信し得る1つまたは複数の受信側デバイスをマッピングする、作成すること、および
第2のルーティングトポロジーを作成することであって、前記第2のルーティングトポロジーが、第2のチャネルの種類を用いて送信側デバイスからの送信を受信し得る1つまたは複数の受信側デバイスをマッピングする、作成することを行うように動作可能であり、前記第1のチャネルの種類が中電力チャネルであり、前記第2のチャネルの種類が低電力チャネルである、メモリとを含む装置。
【請求項１０】
実行されるときに、
前記第1のチャネルの種類を介して1つまたは複数の受信側デバイスに第1のルータアドバータイズメントメッセージを送信し、
前記第1のチャネルの種類を介して1つまたは複数の応答メッセージを前記1つまたは複数の受信側デバイスから受信し、
前記装置と前記受信側デバイスとの間のリンクを第1のチャネルの種類のトポロジーのインスタンスにマッピングするように動作可能である、前記第1のルーティングトポロジーを作成するためのプロセスをさらに含む請求項9に記載の装置。
【請求項１１】
実行されるときに、
第1のチャネルの種類のトポロジーのインスタンス内で前記装置にマッピングされた受信側デバイスに試験メッセージを送信することと、
前記受信側デバイスからの応答メッセージを受信することであって、前記応答メッセージが、1つまたは複数のリンク品質メトリックを含む、受信することと、
前記1つまたは複数のリンク品質メトリックがリンク品質の閾値を超えるかどうかを評価することと、
前記リンク品質メトリックがリンク品質の閾値を超えると判定することに応じて、前記装置と前記受信側デバイスとの間のリンクを第2のチャネルの種類のトポロジーのインスタンスにマッピングすることとを行うように動作可能である、前記第2のルーティングトポロジーを作成するためのプロセスをさらに含む請求項9に記載の装置。
【請求項１２】
実行されるときに、
前記第2のチャネルの種類を介して1つまたは複数の受信側デバイスに第2のルータアドバータイズメントメッセージを送信し、
前記第2のチャネルの種類を介して1つまたは複数の応答メッセージを前記1つまたは複数の受信側デバイスから受信し、
前記装置と前記受信側デバイスとの間のリンクを第2のチャネルの種類のトポロジーのインスタンスにマッピングするように動作可能である、前記第2のルーティングトポロジーを作成するためのプロセスをさらに含む請求項10に記載の装置。
【請求項１３】
実行されるときに、前記第1のルーティングトポロジーのための第1のブロードキャストスケジュールおよび前記第2のルーティングトポロジーのための第2のブロードキャストスケジュールを生成するように動作可能であるプロセスをさらに含む請求項9に記載の装置。
【請求項１４】
実行されるときに、各ルーティングトポロジーに関するレイテンシーの特性およびネットワークの直径に少なくとも部分的に基づいて前記第1のルーティングトポロジーおよび前記第2のルーティングトポロジーにデータの種類をマッピングするように動作可能であるプロセスをさらに含む請求項9に記載の装置。
【請求項１５】
符号化されたソフトウェアを有する有形の非一時的コンピュータ可読媒体であって、前記ソフトウェアが、プロセッサによって実行されるときに、
第1のルーティングトポロジーを作成することであって、前記第1のルーティングトポロジーが、第1のチャネルの種類を用いて送信側デバイスからの送信を受信し得る1つまたは複数の受信側デバイスをマッピングする、作成することと、
第2のルーティングトポロジーを作成することであって、前記第2のルーティングトポロジーが、第2のチャネルの種類を用いて送信側デバイスからの送信を受信し得る1つまたは複数の受信側デバイスをマッピングする、作成することと、
各ルーティングトポロジーに関するレイテンシーの特性およびネットワークの直径に少なくとも部分的に基づいて前記第1のルーティングトポロジーおよび前記第2のルーティングトポロジーにデータの種類をマッピングすることと
を行うように動作可能である、有形の非一時的コンピュータ可読媒体。
【請求項１６】
前記第1のチャネルの種類が中電力チャネルの種類であり、前記第2のチャネルが低電力チャネルの種類である請求項15に記載のコンピュータ可読媒体。
【請求項１７】
前記ソフトウェアが、プロセッサによって実行されるときに、前記第1のルーティングトポロジーのための第1のブロードキャストスケジュールおよび前記第2のルーティングトポロジーのための第2のブロードキャストスケジュールを生成するようにさらに動作可能である請求項16に記載のコンピュータ可読媒体。
【請求項１８】
前記第1のルーティングトポロジーを作成することが、
前記第1のチャネルの種類を介して第1のルータアドバータイズメントメッセージを送信側デバイスによって1つまたは複数の受信するデバイスに送信することと、
前記第1のチャネルの種類を介して1つまたは複数の応答メッセージを前記1つまたは複数の受信するデバイスから、前記送信側デバイスによって、受信することと、
前記送信側デバイスと前記受信側デバイスとの間のリンクを第1のチャネルの種類のトポロジーのインスタンスにマッピングすることとを含む請求項15に記載のコンピュータ可読媒体。
【請求項１９】
前記第2のルーティングトポロジーを作成することが、
第1のチャネルの種類のトポロジーのインスタンス内で受信側デバイスにリンクされた送信側デバイスによって前記受信側デバイスに試験メッセージを送信することと、
前記送信側デバイスによって前記受信側デバイスからの応答メッセージを受信することであって、前記応答メッセージが、1つまたは複数のリンク品質メトリックを含む、ことと、
前記1つまたは複数のリンク品質メトリックがリンク品質の閾値を超えるかどうかを前記送信側デバイスによって評価することと、
前記リンク品質メトリックがリンク品質の閾値を超えると判定することに応じて、前記送信側デバイスと前記受信側デバイスとの間のリンクを第2のチャネルの種類のトポロジーのインスタンスにマッピングすることとを含む請求項15に記載のコンピュータ可読媒体。
【請求項２０】
前記第2のルーティングトポロジーを作成することが、
前記第2のチャネルの種類を介して第2のルータアドバータイズメントメッセージを送信側デバイスによって1つまたは複数の受信側デバイスに送信することと、
前記第2のチャネルの種類を介して1つまたは複数の応答メッセージを前記1つまたは複数の受信側デバイスから受信することと、
前記送信側デバイスと前記受信側デバイスとの間のリンクを第2のチャネルの種類のトポロジーのインスタンスにマッピングすることとを含む請求項18に記載のコンピュータ可読媒体。